【手続補正書】
【提出日】平成15年12月16日(2003.12.16)
【手続補正１】
【補正対象書類名】明細書
【補正対象項目名】請求項１
【補正方法】変更
【補正の内容】
【請求項１】
コンテンツの配信を要求可能なクライアントプログラムを実行するクライアントマシンと、コンテンツを格納する記憶部を有するとともに前記クライアントマシンから要求されたコンテンツを該クライアントマシンへ送信可能なサーバプログラムを実行するサーバマシンとを備えたコンテンツ送達システムであって、
前記サーバマシンは、
クライアントマシンから要求されたコンテンツ毎に送達確認ＩＤを発行するＩＤ発行処理手段と、
前記送達確認ＩＤ及びクライアントマシンを識別するクライアント情報と、サーバマシンを識別するサーバ情報とを有するプラグインデータを生成するプラグインデータ生成部と、
前記クライアントマシンに送信したコンテンツに関連付けられた前記プラグインデータを該クライアントマシンに送信するプラグインデータ送信部と、
送達確認データを受信する送達確認受信部とからなり、
前記クライアントマシンは、
サーバマシンから受信したコンテンツに関連付けられた前記プラグインデータを基に、前記送達確認ＩＤ及び前記クライアント情報を有する送達確認データを生成するとともに、該送達確認データを前記プラグインデータのサーバ情報に従って前記サーバマシンへ送信する送達確認送信部を、
有することを特徴とするコンテンツ送達システム。
【手続補正２】
【補正対象書類名】明細書
【補正対象項目名】請求項３
【補正方法】変更
【補正の内容】
【請求項３】
前記サーバマシンのプラグインデータ生成部は、更に、生成されたプラグインデータを暗号化し、
前記クライアントマシンは、更に、ブラウザにより受信されたプラグインデータを復号化するプラグインデータ復号化部を有する
ことを特徴とする請求項１又は２のいずれかに記載のコンテンツ送達システム。
【手続補正３】
【補正対象書類名】明細書
【補正対象項目名】請求項４
【補正方法】変更
【補正の内容】
【請求項４】
前記クライアントマシンの送達確認送信部は、更に、生成された送達確認データを暗号化し、
前記サーバマシンの送達確認受信部は、受信した送達確認データを復号化する
ことを特徴とする請求項１〜３のいずれかに記載のコンテンツ送達システム。
【手続補正４】
【補正対象書類名】明細書
【補正対象項目名】請求項５
【補正方法】変更
【補正の内容】
【請求項５】
コンテンツを格納する記憶部を有するとともに要求に応じて該コンテンツを要求元のマシンへ送信可能なサーバプログラムを実行するサーバマシンに接続され、該サーバマシンにコンテンツの配信を要求可能なクライアントマシンであって、
前記サーバマシンが、コンテンツの送達確認ＩＤ，要求元のクライアントマシンを識別するクライアント情報，及びサーバマシンを識別するサーバ情報を有するプラグインデータとを送信した場合、前記プラグインデータを受信して、前記送達確認ＩＤ及びクライアント情報を有する送達確認データを生成するとともに、該送達確認データを前記プラグインデータのサーバ情報に従って前記サーバマシンへ送信する送達確認送信部を、
有することを特徴とするクライアントマシン。
【手続補正５】
【補正対象書類名】明細書
【補正対象項目名】請求項６
【補正方法】変更
【補正の内容】
【請求項６】
コンテンツの配信を要求可能なブラウザプログラムを実行するクライアントマシンに接続され、コンテンツを格納する記憶部を有するとともに、前記クライアントマシンに要求されたコンテンツを該クライアントマシンへ送信可能なサーバプログラムを実行するサーバマシンであって、
クライアントマシンから要求されたコンテンツ毎に送達確認ＩＤを発行するＩＤ発行処理手段と、
前記送達確認ＩＤ，クライアントマシンを識別するクライアント情報，及びサーバマシンを識別するサーバ情報を有するプラグインデータを生成するプラグインデータ生成部と、
前記クライアントマシンに対して、前記プラグインデータを送信するプラグインデータ送信部と、
前記クライアントマシンからの送達確認データを受信する送達確認受信部とを、
有することを特徴とするサーバマシン。
【手続補正６】
【補正対象書類名】明細書
【補正対象項目名】請求項８
【補正方法】変更
【補正の内容】
【請求項８】
コンテンツを格納する記憶部を有するとともに要求に応じて該コンテンツを要求元のマシンへ送信可能なサーバプログラムを実行するサーバマシンに接続され、該サーバマシンにコンテンツの配信を要求可能なクライアントマシンに対して、
前記サーバマシンから、コンテンツ，該コンテンツの送達確認ＩＤ，要求元のクライアントマシンを識別するクライアント情報，及びサーバマシンを識別するサーバ情報を有するプラグインデータを受信するステップと、
前記送達確認ＩＤ及び前記クライアント情報を有する送達確認データを生成するステップと、
該送達確認データを前記プラグインデータのサーバ情報に従って前記サーバマシンへ送信するステップと、
で構成されるプログラムを格納したコンピュータ可読媒体。
【手続補正７】
【補正対象書類名】明細書
【補正対象項目名】請求項９
【補正方法】変更
【補正の内容】
【請求項９】
コンテンツの配信を要求可能なブラウザプログラムを実行するクライアントマシンに接続され、コンテンツを格納する記憶部を有するとともに前記クライアントマシンに要求されたコンテンツを該クライアントマシンへ送信可能なサーバプログラムを実行するサーバマシンに対して、
クライアントマシンに要求されたコンテンツ毎に、該コンテンツに関連付けられた送達確認ＩＤを発行するステップと、
前記送達確認ＩＤ，前記クライアントマシンを識別するクライアント情報，及びサーバマシンを識別するサーバ情報を有するプラグインデータを生成するステップと、
前記クライアントマシンから受信したコンテンツに関連付けられた送達確認ＩＤを有するプラグインデータを生成し、送信するステップと、
前記クライアントマシンから送達確認データを受信するステップと、
から構成されるプログラムを
格納したコンピュータ可読媒体。
【手続補正８】
【補正対象書類名】明細書
【補正対象項目名】請求項１０
【補正方法】変更
【補正の内容】
【請求項１０】
前記プログラムは、前記サーバマシンに対して、前記送達確認データの送達確認ＩＤを取得させることにより、該送達確認ＩＤに関連付けられたコンテンツがクライアントマシンに受信されたことを確認させるステップを
さらに含むことを特徴とする請求項９記載のコンピュータ可読媒体。
【手続補正９】
【補正対象書類名】明細書
【補正対象項目名】００１０
【補正方法】変更
【補正の内容】
【００１０】
即ち、請求項１記載のコンテンツ送達システムは、コンテンツの配信を要求可能なブラウザプログラムを実行するクライアントマシンと、コンテンツを格納する記憶部を有するとともに前記クライアントマシンから要求されたコンテンツを該クライアントマシンへ送信可能なＷＷＷサーバプログラムを実行するサーバマシンとを備えたコンテンツ送達システムであって、サーバマシンは、クライアントマシンから要求されたコンテンツ毎に送達確認ＩＤを発行するＩＤ発行処理手段と、前記送達確認ＩＤ及びクライアントマシンを識別するクライアント情報と、サーバマシンを識別するサーバ情報とを有するプラグインデータを生成するプラグインデータ生成部と、前記クライアントマシンに送信したコンテンツに関連付けられた前記プラグインデータを該クライアントマシンに送信するプラグインデータ送信部と、送達確認データを受信する送達確認受信部とからなり、クライアントマシンは、サーバマシンから受信したコンテンツに関連付けられた前記プラグインデータを基に、前記送達確認ＩＤ及び前記クライアント情報を有する送達確認データを生成するとともに、該送達確認データを前記プラグインデータのサーバ情報に従って前記サーバマシンへ送信する送達確認送信部を有することを特徴とする。


【手続補正１０】
【補正対象書類名】明細書
【補正対象項目名】００１１
【補正方法】変更
【補正の内容】
【００１１】
このように構成されると、サーバマシンは、クライアントマシンからのコンテンツの送信要求を受けた場合、ＩＤ発行処理手段により、当該コンテンツに対応付けられた送達確認ＩＤを発行させる。そして、サーバマシンのプラグインデータ生成部は、送達確認ＩＤ，クライアント情報，及びサーバ情報を含むプラグインデータを生成する。クライアントマシンは、コンテンツ及びプラグインデータを取得し、その送達確認送信部により、プラグインデータの送達確認ＩＤ及びクライアント情報を含む送達確認データを生成して、サーバマシンの送達確認受信部へ送信する。
【手続補正１１】
【補正対象書類名】明細書
【補正対象項目名】００１５
【補正方法】変更
【補正の内容】
【００１５】
請求項５記載の発明は、コンテンツを格納する記憶部を有するとともに要求に応じて該コンテンツを要求元のマシンへ送信可能なＷＷＷサーバプログラムを実行するサーバマシンに接続され、該サーバマシンにコンテンツの配信を要求可能なクライアントマシンであって、前記サーバマシンが、コンテンツの送達確認ＩＤ，要求元のクライアントマシンを識別するクライアント情報，及びサーバマシンを識別するサーバ情報を有するプラグインデータとを送信した場合、前記プラグインデータを受信して、前記送達確認ＩＤ及びクライアント情報を有する送達確認データを生成するとともに、該送達確認データを前記プラグインデータのサーバ情報に従って前記サーバマシンへ送信する送達確認送信部を、有することを特徴とする。


【手続補正１２】
【補正対象書類名】明細書
【補正対象項目名】００１６
【補正方法】変更
【補正の内容】
【００１６】
請求項６記載の発明は、コンテンツの配信を要求可能なブラウザプログラムを実行するクライアントマシンに接続され、コンテンツを格納する記憶部を有するとともに、前記クライアントマシンに要求されたコンテンツを該クライアントマシンへ送信可能なサーバプログラムを実行するサーバマシンであって、クライアントマシンから要求されたコンテンツ毎に送達確認ＩＤを発行するＩＤ発行処理手段と、前記送達確認ＩＤ，クライアントマシンを識別するクライアント情報，及びサーバマシンを識別するサーバ情報を有するプラグインデータを生成するプラグインデータ生成部と、前記クライアントマシンに対して、前記プラグインデータを送信するプラグインデータ送信部と、前記クライアントマシンからの送達確認データを受信する送達確認受信部とを、有することを特徴とする。


【手続補正１３】
【補正対象書類名】明細書
【補正対象項目名】００１８
【補正方法】変更
【補正の内容】
【００１８】
請求項８記載のコンピュータ可読媒体は、コンテンツを格納する記憶部を有するとともに要求に応じて該コンテンツを要求元のマシンへ送信可能なサーバプログラムを実行するサーバマシンに接続され、該サーバマシンにコンテンツの配信を要求可能なクライアントマシンに対して、前記サーバマシンから、コンテンツ，該コンテンツの送達確認ＩＤ，要求元のクライアントマシンを識別するクライアント情報，及びサーバマシンを識別するサーバ情報を有するプラグインデータを受信するステップと、前記送達確認ＩＤ及び前記クライアント情報を有する送達確認データを生成するステップと、該送達確認データを前記プラグインデータのサーバ情報に従って前記サーバマシンへ送信するステップとで構成されるプログラムを格納したものである。


【手続補正１４】
【補正対象書類名】明細書
【補正対象項目名】００１９
【補正方法】変更
【補正の内容】
【００１９】
請求項９記載のコンピュータ可読媒体は、コンテンツの配信を要求可能なブラウザプログラムを実行するクライアントマシンに接続され、コンテンツを格納する記憶部を有するとともに前記クライアントマシンに要求されたコンテンツを該クライアントマシンへ送信可能なサーバプログラムを実行するサーバマシンに対して、クライアントマシンに要求されたコンテンツ毎に、該コンテンツに関連付けられた送達確認ＩＤを発行するステップと、前記送達確認ＩＤ，前記クライアントマシンを識別するクライアント情報，及びサーバマシンを識別するサーバ情報を有するプラグインデータを生成するステップと、前記クライアントマシンから受信したコンテンツに関連付けられた送達確認ＩＤを有するプラグインデータを生成し、送信するステップと、前記クライアントマシンから送達確認データを受信するステップと、から構成されるプログラムを格納したものである。


【手続補正１５】
【補正対象書類名】明細書
【補正対象項目名】００２０
【補正方法】変更
【補正の内容】
【００２０】
請求項１０記載の発明は、請求項９において、前記プログラムが、前記サーバマシンに対して、前記送達確認データの送達確認ＩＤを取得させることにより、該送達確認ＩＤに関連付けられたコンテンツがクライアントマシンに受信されたことを確認させるステップをさらに含むことを特徴とする。